(57)【要約】【課題】  設置された状態で複数の方向において害鳥の飛来や接近を有利に防止することが出来ると共に、設置場所の選択自由度を大きく確保することが出来る、新規な構造の鳥害防止器具を提供することを目的とする。【解決手段】  所定の支持面３６に対して底部が位置決め手段１４により位置決めされた状態で、底部から上方に向かって突出する立体的な鏡体１２を構成する複数の鏡１６，２０が互いに異なる方向を向くようにした新規な構造の鳥害防止器具１０を、新たに提供し得た。【選択図】      図１
2006087364.tif 000002
【特許請求の範囲】
【請求項１】
所定の支持面に対して載置状態で位置決めするための位置決め手段を有する底部と、
互いに異なる方向に向いている複数の鏡を組み合わせることによって構成されて、全体として前記底部から上方に向かって突出する立体的な鏡体と
を、備えていることを特徴とする鳥害防止器具。
【請求項２】
前記鏡の少なくとも一つが平面鏡によって構成されている請求項１に記載の鳥害防止器具。
【請求項３】
前記鏡の少なくとも一つが凹面鏡によって構成されている請求項１又は２に記載の鳥害防止器具。
【請求項４】
前記鏡の少なくとも一つが凸面鏡によって構成されている請求項１乃至３の何れかに記載の鳥害防止器具。
【請求項５】
前記鏡体が少なくとも３枚の前記鏡を組み合わせることによって構成された先鋭状の多面錐体とされている請求項１乃至４の何れかに記載の鳥害防止器具。
【請求項６】
飛来乃至は接近する鳥を威嚇するための威嚇装置が設けられている請求項１乃至５の何れかに記載の鳥害防止器具。
【請求項７】
前記威嚇装置が、鳥を威嚇するための音を出力する音出力装置によって構成されている請求項６に記載の鳥害防止器具。
【請求項８】
前記威嚇装置が、鳥を威嚇するための振動を生ぜしめる振動発生装置によって構成されている請求項６又は７に記載の鳥害防止器具。
【請求項９】
前記威嚇装置に対して駆動電力を供給するための太陽電池が設けられている請求項６乃至８の何れかに記載の鳥害防止器具。
【請求項１０】
前記底部が、前記位置決め手段としての滑り止め部材を下面に備えている請求項１乃至９の何れかに記載の鳥害防止器具。
【請求項１１】
前記底部においてボルトや釘等の固定具が取り付けられるようになっており、かかる固定具を含んで前記位置決め手段が構成されている請求項１乃至１０の何れかに記載の鳥害防止器具。
【請求項１２】
前記底部が、前記位置決め手段としての錘を備えている請求項１乃至１１の何れかに記載の鳥害防止器具。
【発明の詳細な説明】
【技術分野】
【０００１】
本発明は、カラス等の害鳥による鳥害を防止するための鳥害防止器具に関するものである。
【背景技術】
【０００２】
従来から、田畑におけるカラス等の害鳥による食害は良く知られており、このような鳥害を防ぐために、様々な鳥害防止器具が提案されている。例えば、案山子や鳴子等がそれであり、田畑においてしばしば見受けられる。
【０００３】
ところが、カラス等の一部の鳥は高い学習能力を備えており、案山子や鳴子のような変化に乏しい器具では、十分な効果を持続的に得ることは困難であった。また、近年では、田畑のみならず、都会においてもカラス等による鳥害が頻発しており、社会問題となっている。具体的には、最近のテレビや新聞，雑誌等で取り上げられているように、東京等の都市部でのカラスによる収集ゴミの食い散らかし、カラスやハト等によるフン害等が挙げられる。
【０００４】
そこで、このような問題に対処する方策として、特許文献１（特開２００２−５８４１５号公報）に示されているように、吊るした鏡で光を反射して、その反射光によって鳥に対する脅し効果を発揮する鳥害防止器具が提案されている。このような鳥害防止器具においては、鏡が吊り下げられて回転や揺れを許容されており、鏡による光の反射方向が一定とならないようにされていることにより、鳥に対して忌避効果があると言われている。
【０００５】
ところが、このような鳥害防止器具においては、平板形状の鏡を使用することから、光の反射方向が限られてしまい、それによって、何処から飛来するか判らない鳥に対して、十分な効果を発揮することが難しいという問題がある。特に平板形状の鏡を吊り下げただけでは、上方から飛来する鳥に対する忌避効果は、余り期待することができない。
【０００６】
しかも、吊り下げて設置することで、風が吹いた際に鏡が回転し、光の反射方向が変化することが考慮されているが、無風の場合には略一定の位置に停止してしまうことから、単体では、様々な方向に対して十分な効果を発揮することが難しいし、効果の発揮される方向が安定して特定され難いという問題もある。なお、様々な方向に対して十分な効果を発揮するために、複数個の設置も考えられるが、それでは、大きな設置スペースを確保しなければならないという問題があって現実的でない。
【０００７】
また、吊り下げ構造であるから、強風によって吹き飛ばされるおそれがあり、吹き飛ばされないための耐久性と、回転や揺れの許容との両立を図ることが難しいという問題もある。
【０００８】
更にまた、吊り下げるという設置方法では、風が吹いた際に揺れ動くことが前提になっているが、風が吹いた際に風切音が発生したり、例えば支持するための支柱など、周辺に位置せしめられた他の部材に当接するおそれがあり、その音が耳障りになるという問題もある。
【０００９】
また、上方から吊り下げるための支柱等の別部材が必要になることから、設置場所が限られてしまい、特に、一般に狭い街角や道路脇などに設定されているゴミ集積箇所や高所である家屋の屋根等のように、カラス等の鳥の飛来や接近を避けたいとの要求が強い場所では、そのような支柱等を設置し難い場所が多く、採用が非常に難しいという問題がある。
【００１０】
【特許文献１】特開２００２−５８４１５号公報
【発明の開示】
【発明が解決しようとする課題】
【００１１】
ここにおいて、本発明は、上述の如き事情を背景として為されたものであって、その解決課題とするところは、複数の方向において害鳥の飛来や接近を有利に且つ安定して防止することが出来ると共に、設置場所の選択自由度を大きく確保することが出来る、新規な構造の鳥害防止器具を提供することにある。
【課題を解決するための手段】
【００１２】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体に記載されたもの、或いはそれらの記載から当業者が把握することが出来る発明思想に基づいて認識されるものであることが理解されるべきである。
【００１３】
鳥害防止器具に関する本発明の第一の態様は、（ａ）所定の支持面に対して載置状態で位置決めするための位置決め手段を有する底部と、（ｂ）互いに異なる方向に向いている複数の鏡を組み合わせることによって構成されて、全体として前記底部から上方に向かって突出する立体的な鏡体とを、備えていることを、特徴とする。
【００１４】
このような本態様に従う構造とされた鳥害防止器具においては、底部から上方に向かって突出する立体的な鏡体を構成する複数の鏡が互いに異なる方向を向いていることから、底部が所定の支持面に対して位置決め手段によって載置状態で位置決めされて固定的に設置された状態下において、太陽光等の照射光を複数の方向に反射することで、光による威嚇効果を複数方向で同時に且つ安定して得ることが可能となる。
【００１５】
また、鏡に写し出された鳥自身の姿を見せることによる脅し的な効果も、同様に、複数の方向で得ることが出来る。それ故、安定して固定的に設置することにより、従来の吊り下げ構造の鏡に比して、他部材への緩衝等に起因する異音の問題や、支持部材設置に伴う問題を、悉く解消せしめつつ、複数方向から飛来する鳥に対して、何れも有効な忌避効果を安定して得ることが可能となるのである。
【００１６】
すなわち、本態様に係る鳥害防止器具にあっては、底部が位置決め手段によって所定の支持面に対して載置状態で位置決めされるようになっていることから、設置したい場所に応じて位置決め手段を適当に変更することで、様々な場所に載置状態で設置することが可能となり、それによって、特別な支持部材等を設置する必要がなく、設置場所の選択自由度を大きく確保することが可能となる。このように、設置場所の選択自由度を大きく確保すると共に、簡易な設置を実現せしめつつ、害鳥の飛来や接近を有利に防止することが可能になるのである。
【００１７】
また、本態様に係る鳥害防止器具にあっては、設置状態下において、底部が位置決め手段によって所定の支持面に対して載置状態で容易には動かないように位置決めすることが出来るようになっていることら、適当な処に載置して設置することが可能であり、鳥害防止器具を吊り下げ状態で設置する場合に比して、設置スペースの確保が容易になると共に、設置状態での安定性を有利に得ることも出来る。
【００１８】
なお、本発明において採用される複数の鏡は、相互に一体的に形成されていても良いし、互いに各一枚ずつ或いは複数枚ずつを別体形成して、それらを後から相互に固定的に組み合わせても良い。鏡の一つの単位は、略一定の面形状をもって広がって略同じ方向に向く反射面を備えているものとして観念することが出来る。また、本発明における立体的な鏡体の内部構造は、何等、限定されるものでなく、例えば、中実であっても良いし、骨格構造体であっても良いし、中空構造体であっても良いし、複数の部屋に区分された区画スペース構造等であっても良い。
【００１９】
鳥害防止器具に関する本発明の第二の態様は、前記第一の態様に係る鳥害防止器具において、前記鏡の少なくとも一つが平面鏡によって構成されていることを、特徴とする。このような本態様に従って平面鏡を利用することにより、鏡自体の製造が容易となると共に、鏡全体の立体形状の設計自由度も大きくなることから、設置予定場所の状態等に応じて形状的に容易に対応することも可能となる。
【００２０】
鳥害防止器具に関する本発明の第三の態様は、前記第一又は第二の態様に係る鳥害防止器具において、前記鏡の少なくとも一つが凹面鏡によって構成されていることを、特徴とする。このような本態様に従う構造とされた鳥害防止器具においては、鏡に写し出される鳥の姿を大きくして拡大視させることが可能となる。これにより、鳥害防止器具に接近してきた鳥に対して、鏡に写し出された鳥自身の姿を見せることによる脅し効果を一層有利に発揮することが可能となる。
【００２１】
鳥害防止器具に関する本発明の第四の態様は、前記第一乃至第三の何れかの態様に係る鳥害防止器具において、前記鏡の少なくとも一つが凸面鏡によって構成されていることを、特徴とする。このような本態様に従う構造とされた鳥害防止器具においては、平面鏡よりも大きな視野をとることが可能となり、それによって、鳥に対する脅し効果を発揮できる範囲（方向）を広くすることが可能となる。
【００２２】
鳥害防止器具に関する本発明の第五の態様は、前記第一乃至第四の何れかの態様に係る鳥害防止器具において、前記鏡体が少なくとも３枚の前記鏡を組み合わせることによって構成された先鋭状の多面錐体とされていることを、特徴とする。このような本態様に従う構造とされた鳥害防止器具においては、鏡体において上方よりも底部のほうが大きくなっていることから、載置状態での安定化を一層図ることが可能となる。また、鉛直上方に向かって先鋭となる鏡面形態を採用したことにより、各鏡面への埃等の付着を抑えて、汚れによる鏡面の反射率の低下と、それに伴う鳥への忌避効果の低下を軽減することも出来る。
【００２３】
鳥害防止器具に関する本発明の第六の態様は、前記第一乃至第五の何れかの態様に係る鳥害防止器具において、飛来乃至は接近する鳥を威嚇するための威嚇装置が設けられていることを、特徴とする。このような本態様に従う構造とされた鳥害防止器具においては、鏡体を構成する鏡を利用した脅し効果に加えて、威嚇装置を利用した脅し効果を発揮することが可能となり、それによって、鳥の飛来乃至は接近を一層有利に防止することが可能となる。なお、威嚇装置における威嚇手段としては、以下に記載の音や振動を利用する他、発光源を用いて光を利用するものや、駆動モータ等で筐体やその付加物体を動かして脅かせるようにするものなど、各種の態様が採用可能である。
【００２４】
鳥害防止器具に関する本発明の第七の態様は、前記第六の態様に係る鳥害防止器具において、前記威嚇装置が、鳥を威嚇するための音を出力する音出力装置によって構成されていることを、特徴とする。
【００２５】
鳥害防止器具に関する本発明の第八の態様は、前記第六又は第七の態様に係る鳥害防止器具において、前記威嚇装置が、鳥を威嚇するための振動を生ぜしめる振動発生装置によって構成されていることを、特徴とする。
【００２６】
鳥害防止器具に関する本発明の第九の態様は、前記第六乃至第八の何れかの態様に係る鳥害防止器具において、前記威嚇装置に対して駆動電力を供給するための太陽電池が設けられていることを、特徴とする。このような本態様に従う構造とされた鳥害防止器具においては、威嚇装置に対する駆動電力の供給を長期間に亘って行うことが可能となる。また、コンセントや発電機から駆動電力を得る場合に比して、コンセントや発電機に接続するためのコードが必要でなくなり、それによって、鳥害防止器具の設置場所の選択自由度を大きく確保することが可能となる。特に、鳥類、特に害鳥となる鳥類は、殆どが明るい昼間に行動するものであり、しかも雨の日には殆ど行動しない特性を有していることから、本発明のように自然界に存在する光を利用するものが極めて効率的なのであり、それに加えて本態様のように太陽電池で駆動せしめられる駆動手段としての威嚇装置を採用することにより、特別な蓄電手段を用いることなく、構造が簡単であり軽量且つ低コストで非常に効率的な害鳥忌避効果を発揮し得る威嚇装置が実現可能となるのである。
【００２７】
鳥害防止器具に関する本発明の第十の態様は、前記第一乃至第九の何れかの態様に係る鳥害防止器具において、前記底部が、前記位置決め手段としての滑り止め部材を下面に備えていることを、特徴とする。このような本態様に従う構造とされた鳥害防止器具においては、底部の下面に設けられた滑り止め部材と所定の支持面の間での滑り摩擦を大きくすることによって位置決めされて、器具が設置される。このような滑り止め部材を備えた底部を採用したことで、底部の位置決めと器具の設置を、一層容易に行うことが可能となる。また、一度位置決めした後で、他の場所に移動させて位置決めする等の作業も容易に且つ速やかに行うことが可能となる。
【００２８】
鳥害防止器具に関する本発明の第十一の態様は、前記第一乃至第十の何れかの態様に係る鳥害防止器具において、前記底部においてボルトや釘等の固定具が取り付けられるようになっており、かかる固定具を含んで前記位置決め手段が構成されていることを、特徴とする。このような本態様に従う構造とされた鳥害防止器具においては、所定の支持面への位置決めをより強固なものにすることが可能となる。
【００２９】
鳥害防止器具に関する本発明の第十二の態様は、前記第一乃至第十一の何れかの態様に係る鳥害防止器具において、前記底部が、前記位置決め手段としての錘を備えていることを、特徴とする。このような本態様に従う構造とされた鳥害防止器具においては、載置状態での安定化を図ることが可能となり、特に強固な固定具を備えていない場合でも、例えば前記第十の態様と有利に組み合わせて採用され得て、載置安定性の向上が実現され得る。
【発明の効果】
【００３０】
上述の説明から明らかなように、本発明に従う構造とされた鳥害防止器具においては、位置決め手段によって所定の支持面に対して載置状態で位置決めされるようになっており、また、このようにして位置決めされた状態で、鏡体を構成する複数の鏡が互いに異なる方向を向くようになっていることから、設置場所の選択自由度を大きく確保することが可能になると共に、設置状態で複数の方向において鳥の飛来や接近を有利に防止することが可能となる。
【発明を実施するための最良の形態】
【００３１】
以下、本発明を更に具体的に明らかにするために、本発明の実施形態について、図面を参照しつつ、詳細に説明する。
【００３２】
図１乃至図３には、本発明の第一の実施形態としての鳥害防止器具１０が示されている。この鳥害防止器具１０は、複数の鏡で構成された鏡体１２に対して位置決め手段としての滑り止め部材１４が組み付けられた構造とされている。なお、以下の説明において、上下方向とは、原則として、図３中の上下方向をいうものとする。
【００３３】
より詳細には、鏡体１２は、複数（本実施形態では、四つ）の側壁鏡板１６によって周壁部分が構成された枠体の上側開口部分が上壁鏡板１８によって覆蓋された構造とされており、全体として、下側に開口する箱体形状とされている。
【００３４】
これら四つの側壁鏡板１６と上壁鏡板１８は、何れも、合成樹脂材によって形成されており、その外面に対してメッキ処理が施されている。なお、このメッキ処理の方法としては、従来から公知の電気鍍金法や溶融鍍金法，真空鍍金法が採用可能である。因みに、本実施形態では、アルミニウムを蒸着する方法によって行われている。これにより、各側壁鏡板１６の外面の略全体と、上壁鏡板１８の外面における傾斜部２０（後述する）の略全体に対して反射面が形成されている。このことから明らかなように、本実施形態では、四つの側壁鏡板１６と上壁鏡板１８（傾斜部２０）によって、複数の鏡が構成されている。また、鏡体１２が、全体として、下側に開口する箱体形状とされていることから、四つの側壁鏡板１６と上壁鏡板１８（傾斜部２０）が、互いに異なる方向を向くようになっている。更にまた、本実施形態では、これら四つの側壁鏡板１６の反射面と上壁鏡板１８（傾斜部２０）の反射面は、何れも、凹面鏡の反射面とされている。即ち、本実施形態では、四つの側壁鏡板１６と上壁鏡板１８（傾斜部２０）は、何れも、凹面鏡によって構成されているのである。
【００３５】
そして、本実施形態では、鏡体１２における下側開口が長方形状になるように、また、下側開口の開口面積が鏡体１２の下端において最も大きくなる一方、上方に行くに従って次第に小さくなるように、各側壁鏡板１６が内側に傾斜せしめられている。即ち、本実施形態では、鏡体１２は、下側（後述する底壁側）に開口する凹所を備えており、かかる凹所の開口面積が鏡体１２の下端において最大となる一方、上方に行くに従って次第に小さくなるように、鏡体１２を構成する鏡が傾斜せしめられているのである。また、このことから明らかなように、本実施形態では、上壁鏡板１８によって鏡体１２に形成された凹所の上底壁が構成されている。即ち、鏡体１２に形成された凹所の上底壁によって鏡が構成されているのである。なお、四つの側壁鏡板１６の水平方向（図３中の左右方向）に対する内側への傾斜角度は、全て同じであっても良いし、互いに異なっていても良い。因みに、本実施形態では、四つの側壁鏡板１６の水平方向に対する内側への傾斜角度は、互いに同じとされている。
【００３６】
また、鏡体１２の下側開口における短辺部分に位置する一対の側壁鏡板１６，１６は、上下方向（高さ方向）の寸法が異ならされており、それによって、本実施形態では、上壁鏡板１８が長手方向（鏡体１２の下側開口における長辺部分に沿った方向）の中央部分で屈曲せしめられて、上壁鏡板１８における長手方向一方の側が長手方向他方の側よりも下方に位置せしめられている。即ち、本実施形態では、上壁鏡板１８は、長手方向一方の側が傾斜部２０とされており、長手方向他方の側が平坦部２２とされているのである。
【００３７】
そこにおいて、本実施形態では、このような構造とされた上壁鏡板１８における平坦部２２には、上方に開口する貫通孔２４が形成されており、かかる貫通孔２４に対して太陽電池２６が嵌め込まれている。因みに、本実施形態では、太陽電池２６は、貫通孔２４に嵌め込まれた状態で、貫通孔２４内に形成された段差面２８に対して固着されている。
【００３８】
また、本実施形態では、上壁鏡板１８における傾斜部２０の裏面に対して、威嚇装置としての振動発生装置３０が取り付けられており、かかる振動発生装置３０には、太陽電池２６から駆動電力が供給されるようになっている。なお、太陽電池２６からの駆動電力を十分に得ることが出来ない場合のために、例えば、電池やバッテリー等の補助電源を備えておいても良く、それによって、振動発生装置３０を利用した定期的乃至は条件的な振動の発生を安定化させることが可能となる。振動発生装置３０としては、例えば特開２００４−１９５３９２号公報等に記載されている、従来から公知の構造のものが何れも採用可能である。
【００３９】
なお、図面上では、明示されていないが、上壁鏡板１８における傾斜部２０の裏面には、カウンタ等のＩＣやダイオード等の回路素子が実装された制御基板がケースに収容された状態で取り付けられており、かかる制御基板に設けられたスイッチがＯＮになっている場合に、カウンタ等によって時間の計測が行われ、所定時間（例えば、１０分）が経過すると、振動発生装置３０に対して太陽電池２６から駆動電力が供給されて、振動発生装置３０が駆動せしめられるようになっている。これにより、鏡体１２、延いては、鳥害防止器具１０が、振動せしめられることとなる。そして、予め定められた時間（例えば、１分）が経過すると、振動発生装置３０に対する太陽電池２６からの駆動電力の供給が停止されるようになっている。これにより、鳥害防止器具１０の振動が停止するようになっている。なお、このような振動発生装置３０の制御は、制御基板に設けられたＩＣ等によって実現されるようになっている。また、図３において、太陽電池２６の電極と制御基板を接続するコードの図示は省略している。
【００４０】
その他、かかる威嚇手段を構成する振動発生装置３０は、例えば鳥が飛来して近づいた場合や、鳥害防止器具１０の上に乗った場合に、そのような状況を条件として発動するようにしても良い。その場合には、例えば、赤外線撮像装置や赤外線センサ，荷重センサ等を用いて、鳥の存否を識別させて、その識別信号を制御信号として振動発生装置３０を稼働させることで実現可能である。
【００４１】
更にまた、鏡体１２の下側開口端には、外側に突出する外方突部３２が全周に亘って形成されており、かかる外方突部３２に対して滑り止め部材１４が固着されている。この滑り止め部材１４は、例えばゴム材料や合成樹脂材料等の摩擦係数が大きい材料によって形成されることが望ましく、全体として矩形の枠体形状とされている。また、滑り止め部材１４には、内周面に開口する凹溝３４が全周に亘って形成されている。即ち、本実施形態では、滑り止め部材１４は、コ字形状断面で全周に亘って延びるような形状とされているのである。なお、本実施形態では、滑り止め部材１４において、外方突部３２への組付状態下で外方突部３２の下方に位置せしめられる外面（下面）は、平坦面とされているが、この下面に対して、例えば適当な形状や大きさの突起や凹凸パターンを付与して滑り止め効果を向上させても良い。
【００４２】
このような構造された滑り止め部材１４は、その凹溝３４に対して鏡体１２の下側開口端に形成された外方突部３２が嵌め込まれ、例えば滑り止め部材１４の弾性を利用して嵌着されていることにより、更に必要に応じて接着乃至は固着されることによって、鏡体１２の下側開口端に形成された外方突部３２に対して固定的に組み付けられている。
【００４３】
このような構造とされた鳥害防止器具１０は、底壁の下側の端面（本実施形態では、底壁に固定された位置決め手段としての滑り止め部材１４の下面）を、所定の支持面に対して重ね合わせられるようにして、設置することが出来るようになっている。従って、本実施形態では、鳥害防止器具１０における鏡体１２の下側開口端とかかる下側開口端に形成された外方突部３２によって底壁が構成されている。また、このことから明らかなように、本実施形態では、底壁は、鏡体１２と一体形成されており、その中央部分において開口穴（本実施形態では、鏡体１２における凹所の開口端に相当する）が形成されていると共に、上述の滑り止め部材１４が外嵌固定された構造とされている。そして、本実施形態では、かかる底壁と滑り止め部材１４を含んで底部が構成されている。なお、上述の説明からも明らかなように、鏡体１２に形成された凹所の開口端側の内周面と、底壁に形成された開口穴の内周面は、同じ部分によって構成されている。
【００４４】
また、鏡体１２は底部から上方に向かって突出している。更にまた、鏡体１２は、四つの側面鏡板１６と上壁鏡板１８によって構成されていることから明らかなように、立体的な形状とされている。従って、鏡体１２は、互いに異なる方向に向いている複数の鏡を組み合わせた形状とされており、全体として、底部から上方に向かって突出する立体的な形状とされているのである。
【００４５】
また、鳥害防止器具１０の設置の具体例としては、例えば、図４および図５に示されているように、ゴム集積場に集められた、生ゴミ等の燃えるゴミが入っているゴミ袋３６に対して滑り止め部材１４の下面を重ね合わせて、ゴミ袋３６の表面と滑り止め部材１４の下面との間での摩擦によって、鳥害防止器具１０をゴミ袋３６に対して位置決めして設置すること等が考えられる。そして、このようにゴミ袋３６の上に鳥害防止器具１０が設置される場合には、ゴミ袋３６の表面によって支持面が構成されることとなる。
【００４６】
そこにおいて、このようにゴミ袋３６の上に鳥害防止器具１０を設置する場合には、図５に示されているように、鏡体１２の下側開口から鏡体１２の内側にゴミ袋３６が侵入してきても良い。そして、このように鏡体１２の下側開口から鏡体１２の内側にゴミ袋３６が侵入してきている場合には、鏡体１２の内側に侵入してきたゴミ袋３６に対して、側壁鏡板１６の内側面（側壁鏡板１６においてメッキ処理が施されていない裏側の面）、即ち、底壁に形成された開口穴の内周面（鏡体１２に形成された凹所の開口端側の内周面）乃至は鏡体１２に形成された凹所の内周面を引っ掛けることが可能となり、この場合には、側壁鏡板１６の内側面、即ち、底壁に形成された開口穴の内周面をその一部分に含んでいる、凹所の開口部内周面によっても、位置決め手段が構成されることとなる。そして、この凹所の開口部内周面が設置面であるゴミ袋３６に対して引っ掛かる状態となることでも、一つの位置決め効果が発揮されるようになっている。特に、凹所の開口部内縁が略直角な屈曲角形状とされており、しかも、ゴミ袋３６に対する摩擦係数の大きいゴム材料等で形成された滑り止め部材１４がゴミ袋３６に重ね合わせられていることから、一層大きな引っ掛かり固定力が発揮され得る。
【００４７】
このような構造とされた鳥害防止器具１０においては、ゴミ袋３６の上に重ね合わせられて設置された状態で、鏡体１２を構成している、四つの側壁鏡板１６と上壁鏡板１８が互いに異なる方向を向くようになっていることから、光の反射の方向やその各面の大きさ，形状等のバリエーションを増やすことが可能となる。これにより、複数の方向において光の反射や鳥自身の姿を写し出すことによる脅し効果を発揮することが可能となって、このような脅し効果を長期間に亘って複数の方向に同時に安定して発揮することが可能となる。
【００４８】
そこにおいて、本実施形態では、四つの側壁鏡板１６と上壁鏡板１８（傾斜部２０）の反射面が、何れも、凹面鏡の反射面によって構成されていることから、鳥自身の姿を大きく写し出すことが可能となり、それによって、鳥自身の姿を写し出すことによる脅し効果を有利に得ることが可能となる。
【００４９】
また、本実施形態では、鏡体１２に対して振動発生装置３０が取り付けられており、所定時間毎に、鏡体１２、延いては、鳥害防止器具１０が振動せしめられるようになっていることから、上述の光の反射や鳥自身の姿を映し出すことによる脅し効果に加えて、鳥害防止器具１０自体が振動することによる脅し効果を発揮することが可能となり、それによって、長期間に亘る鳥の接近の防止を一層効果的に行うことが可能となる。
【００５０】
そこにおいて、本実施形態では、振動発生装置３０に対して太陽電池２６から駆動電力が供給されるようになっていることから、振動発生装置３０に対する駆動電力の供給を長期間に亘って行うことが可能になる。また、駆動電力を供給するために、太陽電池２６を採用したことにより、振動発生装置３０を備えている場合でも、設置場所の選択自由度を有利に確保することが可能となる。
【００５１】
さらに、本実施形態では、鏡体１２が底壁側に開口する凹所を備えていることから、鏡体１２の内側へのゴム袋３６の侵入が許容されていることとなり、それによって、生ゴミ等の燃えるゴミが入ったゴミ袋３６の表面のように、平坦ではなく、凹凸がある支持面であっても、安定した設置状態を実現することが可能となる。特にゴミ袋３６は、比較的に容易に変形し得ることから、ある程度の重量を鳥害防止器具１０に持たせておくことにより、ゴム袋３６の表面が鳥害防止器具１０の底面の形状になじむと共に、底面の開口部（底壁の開口穴）に入り込んで、自ずから係止固定された態様が発現され得ることとなる。これにより、優れた位置決め作用が期待できる。
【００５２】
更にまた、鳥害防止器具１０が所定の支持面（本実施形態では、ゴミ袋３６の表面）に対して重ね合わせられることで設置されるようになっていることから、設置場所の選択自由度を大きく確保することが可能となる。
【００５３】
そこにおいて、本実施形態では、ゴム材料によって形成された滑り止め部材１４の下面がゴミ袋３６の表面に重ね合わせられることによって鳥害防止器具１０が設置されるようになっていることから、単なる係止作用だけでなく、前述の如く、滑り止め部材１４の下面とゴミ袋３６の表面との間での滑り摩擦を大きくすることが可能となり、それによって、位置決め力を一層有利に確保することが可能となる。
【００５４】
続いて、本発明の第二の実施形態について説明する。図６乃至８には、本発明の第二の実施形態としての鳥害防止器具３８が示されており、第一の実施形態と同様に、複数の鏡としての鏡板４０によって構成された鏡体４２に対して位置決め手段としての滑り止め部材１４が組み付けられた構造とされている。なお、以下の説明において、第一の実施形態と同様な構造とされた部材および部位については、図中に、第一の実施形態と同一の符号を付すことにより、それらの詳細な説明を省略する。
【００５５】
本実施形態の鏡体４２は、二等辺三角形状を有する鏡板４０が組み合わされることによって構成されており、その外観が、全体として四角錐形状とされている。即ち、本実施形態では、鏡体４２は、四つの鏡板４０を組み合わせることによって構成された先鋭状の多面錐体とされているのである。そして、鏡体４２が、上述のように、全体として四角錐形状とされていることで、鏡体４２を構成する鏡板４０が互いに異なる方向を向いているのである。また、この鏡板４０は、第一の実施形態と同様に、合成樹脂材によって形成されており、その外面に対して、メッキ処理が施されている。これにより、鏡板４０の外面は、光を反射するようになっていると共に、鏡板４０を覗き見るものの姿を写し出すようになっている。更にまた、鏡体４２の下側開口には、外側に全周に亘って突出する外方突部３２が一体形成されている。
【００５６】
このような構造とされた鏡体４０に対して内周面に開口する凹溝３４を備えた滑り止め部材１４が固定的に組み付けられているのであるが、本実施形態では、鏡体４２における下側開口を覆蓋するようにして鏡体４２の底面に重ねられた錘としての金属板４４と外方突部３２が滑り止め部材１４に形成された凹溝３４に嵌め込まれることで、鏡体４０に対して滑り止め部材１４が固定的に組み付けられている。そして、このように鏡体４０に対して滑り止め部材１４が固定的に組み付けられることで、金属板４４における外周縁部と外方突部３２が、滑り止め部材１４に形成された凹溝３４の両側壁に挟まれて密着状態とされているのであり、それによって、金属板４４が外方突部３２に対して固定されている。
【００５７】
そこにおいて、金属板４４は、例えば、鉄鋼等のように高比重な金属材によって形成されている。なお、金属板４４の質量は、鳥害防止器具の大きさや形状、設置場所等の各種条件に応じて設定されるものであって限定されるものでないが、一般に、屋外設置することを考慮して、容易には吹け飛ばない程度の大きさとして、例えば５００ｇ以上、より好適には１ｋｇ以上、より好適には２ｋｇ以上とされる。尤も、余り重いと鳥害防止器具３８の取扱いが大変となるので、例えばある程度頻繁な移設が予想される場合等においては、１０ｋｇ以下、より好適には５ｋｇ以下とすることが望ましい。
【００５８】
また、本実施形態では、金属板４４を、外方突部３２に重ね合わせて、それら両部材の外周縁部に対して、滑り止め部材１４が外嵌状態で固定されている。なお、この滑り止め部材１４の外嵌力を利用して、金属板４４を鏡体４０に固定することも可能であるが、重量の大きい金属板４４であることを考慮して、好適には、接着等の固着手段により、金属板４４が鏡体４０に対して固定されていることが望ましい。
【００５９】
そして、このような構造とされた鳥害防止器具３８も、滑り止め部材１４の下面が、例えば、地面等によって構成された支持面に重ね合わせられて、支持面と滑り止め部材１４における下面との間の摩擦によって位置決めされることで、支持面に対して設置されるようになっている。このことから明らかなように、本実施形態では、外方突部３２を含む鏡体４２の下端部分と金属板４４および滑り止め部材１４を含んで、位置決め手段を備えた底部が構成されている。
【００６０】
従って、このような構造とされた鳥害防止器具３８も、鏡体４２が互いに異なる方向を向いている鏡板４０を備えていることから、前記第一の実施形態と同様な効果を得ることが可能となる。
【００６１】
また、本実施形態では、金属板４４で構成された錘の重量を利用して、鳥害防止器具３８の設置状態での安定化を図ることが可能となり、例えば、風が吹いた際に、吹き飛ばされるような不具合を一層有利に回避することが可能となる。
【００６２】
更にまた、本実施形態では、鏡体４２が全体として四角錐形状とされていることから、鏡体４２の上側よりも下側が大きくなって、支持面に対する重ね合わせ面を大きく確保することが可能となり、それによって、設置状態の安定化を図ることが可能となる。
【００６３】
次に、本発明の第三の実施形態について、説明する。図９乃至図１１には、本発明の第三の実施形態としての鳥害防止器具４６が示されている。この鳥害防止器具４６は、複数の鏡によって構成された鏡体４８を備えている。なお、以下の説明において、第一の実施形態と同様な構造とされた部材および部位については、図中に、第一の実施形態と同一の符号を付すことにより、それらの詳細な説明を省略する。
【００６４】
本実施形態の鏡体４８は、台形とされた側壁鏡板５０（本実施形態では、四つ採用されている）と長方形の上壁鏡板５２を組み合わせることによって構成されており、その外観が、全体として、四角錐台形状とされている。そして、鏡体４８が、このような四角錐台形状とされていることによって、四つの側壁鏡板５０と上壁鏡板５２が、互いに異なる方向を向くようになっている。また、これら四つの側壁鏡板５０の外面と上壁鏡板５２の外面には、第一の実施形態と同様に、メッキ処理が施されている。
【００６５】
これにより、側壁鏡板５０の外面と上壁鏡板５２の外面において、光の反射と覗き込むものを写し出す機能が付与されている。このことから明らかなように、本実施形態では、四つの側壁鏡板５０と上壁鏡板５２によって鏡が構成されている。そこにおいて、本実施形態では、側壁鏡板５０の反射面は、何れも、凹面鏡の反射面によって構成されている一方、上壁鏡板５２の反射面は、凸面鏡の反射面によって構成されている。
【００６６】
また、鏡体４８の下端には、外側に突出する外方突部３２が全周に亘って形成されている。ここにおいて、本実施形態では、かかる外方突部３２に対して、複数（本実施形態では、八つ）の挿通孔５４が、周方向の適当な位置に形成されている。
【００６７】
このような構造とされた鳥害防止器具４６は、例えば、図１２に示されているように、支持面としての地面５６に対して鏡体４８の下端面が重ね合わせられた状態で、固定具としての釘５８が挿通孔５４に挿通されて地面５６に打ち込まれることによって、地面５６に対して位置決め固定されるようになっている。このことから明らかなように、本実施形態では、挿通孔５４に挿通されて地面（例えば、建築構造物や土木構造物などの構造物の表面であっても良い）５６に打ち込まれる釘５８を含んで、位置決め手段が構成されている。そして、本実施形態では、外方突部３２を含む鏡体４８の下端部分と釘５８を含んで、底部が構成されている。
【００６８】
本実施形態の鳥害防止器具４６においては、鳥害防止器具４６を構成する鏡体４８が、四つの側壁鏡板５０と上壁鏡板５２を備えていることから、第一の実施形態と同様な効果を得ることが可能となる。
【００６９】
また、本実施形態では、外方突部３２に形成された挿通孔５４に挿通された釘５８が地面５６に打ち込まれることによって、鳥害防止器具４６が地面に対して位置決め固定されることから、鳥害防止器具４６の地面５６（支持面）に対する位置決め状態を安定して維持することが可能となる。
【００７０】
更にまた、本実施形態では、上壁鏡板５２の反射面が凸面鏡の反射面によって構成されていることから、平面鏡の場合よりも大きな視野をとることが可能となり、それによって、鳥に対する脅し効果を発揮できる範囲（方向）を広くすることが可能となる。
【００７１】
以上、本発明の幾つかの実施形態について詳述してきたが、これらはあくまでも例示であって、本発明は、かかる実施形態における具体的な記載によって、何等、限定的に解釈されるものではない。
【００７２】
例えば、鏡体を構成する鏡としては、凹面鏡や凸面鏡の他に、平面鏡を採用することも可能である。そして、それら各種形状の面を有する鏡を、各種平面形状で、相互に組み合わせて、全体として一つの鏡体を構成することも可能である。
【００７３】
また、鳥害防止器具における鏡体の構造は、前記第一乃至第三の実施形態のものに限定されることなく、例えば、図１３に示されているように、上壁鏡板１８を備えない代わりに、鏡体６０の上端において長手方向に延びる稜線６２を備える構造であっても良いし、図１４に示されているように、下部を構成する直方体乃至は矩形筒状体の上部に対して四角錐が載置されたような外観を呈している構造であっても良い。更にまた、図１５に示されているように、上壁鏡板１８の外面全体を鏡体の下端面に対して傾斜させる構造であっても良い。
【００７４】
そこにおいて、図１５に示されているような構造の鏡体を採用する場合には、図１６に示されているように、鏡体の下端面を支持面としての屋根に重ね合わせた状態で、鏡体を構成する上壁鏡板１８が鉛直上方を向くようにすることも可能となる。なお、理解を容易にするために、図１３，図１５および図１６においては、第一の実施形態と同様な構造とされた部材および部位については、第一の実施形態と同じ符号を付しておいた。また、図１４においては、第二の実施形態と同様な構造とされた部材および部位については、第二の実施形態と同一の符号を付しておいた。
【００７５】
更にまた、前記第一乃至第三の実施形態では、鏡板は、何れも、合成樹脂材によって形成されており、その外面に対してメッキ処理が施されていたが、例えば、鏡板をガラス製とし、かかるガラス製の鏡板の表面に対してアルミニウムを蒸着することで、鏡板の表面に対して鏡面を形成することも可能となる。また、鏡板をステンレス製にした場合には、メッキ処理を特に施す必要がなくなり、必要に応じて鏡面加工を施すだけで良く、製造工程の簡略化を図ることが可能となる。
【００７６】
さらに、前記第一の実施形態では、威嚇装置として振動発生装置３０が採用されていたが、例えば、威嚇装置として、猫や犬の鳴き声等の鳥を威嚇するための音を出力する音出力装置を採用することも可能である。この場合、音出力装置による音の出力は、例えば、所定の時間が経過すると、ＣＰＵがＲＯＭに記憶された音データを読み出して、かかる音データに基づく音を生成して、スピーカから出力することが考えられる。そして、この場合には、ＣＰＵ，ＲＯＭ，スピーカを含んで音出力装置が構成されることとなる。なお、音出力装置は、上壁鏡板１８における傾斜部２０の裏側や側壁鏡板１６の裏側に対して取り付けられるようになっている。その際、スピーカが位置する部分の鏡板には、複数の穴が開口せしめられるようになっている。
【００７７】
また、前記第一の実施形態では、振動発生装置３０が上壁鏡板１８における傾斜部２０の裏側に対して取り付けられていたが、振動発生装置３０の取付位置は、傾斜部２０の裏側に限定されるものではなく、例えば、側壁鏡板１６の裏面であっても良い。
【００７８】
更にまた、前記第二の実施形態では、金属板４４の形状は平板形状とされていたが、金属板４４の形状は、前記第二の実施形態のものに限定されず、例えば、その中央部分に対して貫通孔が形成された形状であっても良い。
【００７９】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００８０】
【図１】本発明の第一の実施形態としての鳥害防止器具を示す斜視図である。
【図２】図１に示された鳥害防止器具の平面図である。
【図３】図２におけるＩＩＩ−ＩＩＩ断面図である。
【図４】図１に示された鳥害防止器具の設置状態を説明するための斜視図である。
【図５】図４に示された設置状態において、鳥害防止器具とゴミ袋との関係を説明するための図面である。
【図６】本発明の第二の実施形態としての鳥害防止器具を示す斜視図である。
【図７】図６に示された鳥害防止器具の平面図である。
【図８】図７におけるＶＩＩＩ−ＶＩＩＩ断面図である。
【図９】本発明の第三の実施形態としての鳥害防止器具を示す斜視図である。
【図１０】図９に示された鳥害防止器具の平面図である。
【図１１】図１０におけるＸＩ−ＸＩ断面図である。
【図１２】図９に示された鳥害防止器具の設置状態を説明するための断面図である。
【図１３】本発明の鳥害防止器具において採用可能な鏡体の構造の他の態様を説明するための斜視図である。
【図１４】本発明の鳥害防止器具において採用可能な鏡体の構造の別の態様を説明するための斜視図である。
【図１５】本発明の鳥害防止器具において採用可能な鏡体の構造の更に別の態様を説明するための斜視図である。
【図１６】図１５に示された鏡体を備える鳥害防止器具の屋根への設置状態を説明するための図面である。
【符号の説明】
【００８１】
１０  鳥害防止器具
１２  鏡体
１４  滑り止め部材
１６  側壁鏡板
１８  上壁鏡板
２０  傾斜部
３６  ゴミ袋
【図１】
2006087364.tif 000003
【図２】
2006087364.tif 000004
【図３】
2006087364.tif 000005
【図４】
2006087364.tif 000006
【図５】
2006087364.tif 000007
【図６】
2006087364.tif 000008
【図７】
2006087364.tif 000009
【図８】
2006087364.tif 000010
【図９】
2006087364.tif 000011
【図１０】
2006087364.tif 000012
【図１１】
2006087364.tif 000013
【図１２】
2006087364.tif 000014
【図１３】
2006087364.tif 000015
【図１４】
2006087364.tif 000016
【図１５】
2006087364.tif 000017
【図１６】
2006087364.tif 000018